(57)【特許請求の範囲】
【請求項１】
宅内のセキュリティに異常が発生したときに報知信号を送信するセキュティセンサと、報知信号を受信したときに第１の報知音を出力する受信器と、を備えたセキュリティシステムにおいて、
第２の報知音の鳴動または第１の報知音の停止のいずれかの用途に供する発信器であって、自身に備えられたボタンが操作されると操作信号を発信する発信器を備えて、
受信器が、前記の発信器からの操作信号を受信したときの動作として、第２の報知音を鳴動させる報知モードまたは鳴動している第１の報知音の停止させる停止モードのいずれかを選択可能に設定する動作設定手段を備えていることを特徴とするセキュリティシステム。
【請求項２】
受信器が第１の報知音と共に報知ランプを点灯させる構成を備えて、かつ受信器の停止モードの動作として一定時間の間に所定回数以上または所定時間以上の操作信号を受信したときには第１の報知音を停止すると共に報知ランプの消灯を併せて行うようになしたことを特徴とする請求項１に記載のセキュリティシステム。
【発明の詳細な説明】
【技術分野】
【０００１】
本願発明は、宅内への不審者の侵入等の異常を検知するセキュリティシステムに関する。
【背景技術】
【０００２】
従来から、宅内のセキュリティに異常が発生したときに報知信号を送信するセキュリティセンサと、セキュリティセンサからの報知信号を受信したときに第１の報知音を出力する受信器と、を備えたセキュリティシステムがある。また、これらのシステムにボタン操作により操作信号を発信する発信器を併設し、その操作信号を受信した受信器が第２の報知音を出力するようになして、宅内にいる人が自身の異常を感じたときに宅内にいる他の人を呼び出すこともできるようにしたセキュリティシステムが知られている（例えば、特許文献１）。
【０００３】
しかしながら、上記のようなセキュリティシステムの発信器は、特に高齢者がいる家庭では一人だけの環境となるトイレや浴室等に主に設置されて、身体の異常を感じたときに発信器のボタン操作を行い受信器にて異常を報知するように用いられてきたが、高齢者のいない家庭では有効に活用されることは少ないものであった。また、一方では報知音が鳴動し続けることにより近隣住戸の騒音となることを防止するために、すぐに受信器に駆け寄って鳴動を停止することができないトイレや浴室等にある発信器を、第１の報知音の鳴動を停止する装置として用いたいという要望もある。しかしながら、上記のようなセキュリティシステムは、各家庭のライフスタイルに応じて容易にセキュリティシステムを構成する発信器の役割を変更可能なものとはなっていなかった。
【特許文献１】特開平１１−１６１８５８号公報
【発明の開示】
【発明が解決しようとする課題】
【０００４】
本願発明は、上記背景技術に鑑みて発明されたものであり、その課題は、各家庭のライフスタイルに応じて容易に発信器の役割を変更できるセキュリティシステムを提供することである。
【課題を解決するための手段】
【０００５】
上記課題を解決するために、本願発明は、宅内のセキュリティに異常が発生したときに報知信号を送信するセキュリティセンサと、報知信号を受信したときに第1の報知音を出力する受信器と、を備えたセキュリティシステムにおいて、第２の報知音の鳴動または第１の報知音の停止のいずれかの用途に供する発信器であって、自身に備えられたボタンが操作されると操作信号を発信する発信器を備えて、受信器が、前記の発信器からの操作信号を受信したときの動作として、第２の報知音を鳴動させる報知モードまたは鳴動している第１の報知音の停止させる停止モードのいずれかを選択可能に設定する動作設定手段を備えているものである。
【発明の効果】
【０００６】
本願発明のセキュリティシステムにおいては、宅内のセキュリティに異常が発生したときに報知信号を送信するセキュリティセンサと、報知信号を受信したときに第１の報知音を出力する受信器と、を備えたセキュリティシステムにおいて、第２の報知音の鳴動または第１の報知音の停止のいずれかの用途に供する発信器であって、自身に備えられたボタンが操作されると操作信号を発信する発信器を備えて、受信器が、前記の発信器からの操作信号を受信したときの動作として、第２の報知音を鳴動させる報知モードまたは鳴動している第１の報知音の停止させる停止モードのいずれかを選択可能に設定する動作設定手段を備えているので、各家庭のライフスタイルに応じて容易にセキュリティシステムを構成する発信器の役割を変更することができ、使い勝手が向上するものである。
【発明を実施するための最良の形態】
【０００７】
図１は、本願発明の請求項１及び２に対応した実施形態のセキュリティシステム１の概略構成図を示している。また、図２は図１の受信器１０の要部拡大図を、図３は図１の発信器３０のシステム構成図を、図４は図１のセキュリティセンサ４０のシステム構成図を、図５は図１の受信器１０のシステム構成図を示している。
【０００８】
この実施形態で用いるセキュリティシステム１は、宅内のセキュリティに異常が発生したときに報知信号を送信するセキュリティセンサ４０と、報知信号を受信したときに第１の報知音を出力する受信器１０と、を備えたセキュリティシステム１において、自身に備えられたボタン３１が操作されると操作信号を発信する発信器３０を備えて、受信器１０が、発信器３０からの操作信号を受信したときの動作として、第２の報知音を鳴動させる報知モードまたは鳴動している第１の報知音の停止させる停止モードのいずれかを選択可能に設定する動作設定手段を備えているものである。
【０００９】
また、この実施形態のセキュリティシステム１は、受信器１０が第１の報知音と共に報知ランプ１１を点灯させる構成を備えて、かつ受信器１０の停止モードの動作として一定時間の間に所定回数以上または所定時間以上の操作信号を受信したときには第１の報知音を停止すると共に報知ランプ１１の消灯を併せて行うようになしたものである。
【００１０】
以下、この実施形態のセキュリティシステム１を、より具体的に説明する。このセキュリティシステム１は、図１に示すように、ＩＤコードが割り当てられた発信器３０およびセキュリティセンサ４０、受信器１０とを備えているものである。そして、図１中、発信器３０は浴室やトイレ等に据付けられている押ボタン式発信器を、セキュリティセンサ４０は勝手口の天井や壁面に設置される人体検知用センサを、各々、示している。そして、これらの発信器３０及びセキュリティセンサ４０は、ワイヤレス信号を送信する信号送信部３４が、取り替え可能に内蔵された電池３８、４８により駆動するようになっているものである。
【００１１】
そして、この例では、例えば、セキュリティセンサ４０である人体検知センサが、熱を検知すると、このセキュリティセンサ４０から自身に割り当てられたＩＤコードのワイヤレス信号である報知信号が出力され、受信器１０に設けられた複数の報知ランプ１１の中セキュリティセンサ４０に対応して設けられた勝手口の場所報知ランプ１２と、受信器１０の頭部に設けられた報知ランプ１１とが点灯し、第１の報知音が鳴るので、受信器１０側で、例えば、宅内に不審者が侵入していることを知ることができるものとなっている。
【００１２】
さらに、このセキュリティシステム１では、後述する発信器３０の登録を報知モードで使用するために報知登録モードで行うことにより、高齢者がいる家庭等においては、トイレや風呂に入っているものが、トイレや浴室に設けられた発信器３０のボタン３１を押操作すると、発信器３０から自身に割り当てられたＩＤコードのワイヤレス信号である操作信号が出力される。そして、受信器１０がその操作信号を受信して、トイレ／浴室の場所報知ランプ１２および報知ランプ１１が点灯し、これとともに第２の報知音が鳴るようにして、トイレまたは浴室内にいる人が何か具合が悪くなっているということを宅内にいる人が知ることができるようになっているものである。また、後述する発信器３０の登録を停止モードで使用するために停止登録モードで行うことにより、高齢者がいない家庭等においては、トイレや入浴中に受信器１０が第１の報知音を出力し始めたときには、トイレや浴室に設けられた発信器３０のボタン３１を押操作すると、操作信号が出力される。そして、受信器１０がその操作信号を受信して、第１の報知音をトイレや浴室内にいる状態でも停止させて、近隣住戸への騒音となることを防ぐことができるようになっているものである。さらに、トイレや風呂に入っているものが、発信器３０のボタン３１を複数回押操作したり長押操作したりすることにより、一定時間の間に所定回数以上または所定時間以上の操作信号を受信器１０に発信して、それを受信した受信器１０では報知ランプ１１及び場所報知ランプ１２の消灯を併せて行うようにして、受信器１０の報知動作を全て停止させることができるようになっているものである。
【００１３】
発信器３０は、図３に示すように、この発信器３０を制御するために設けられてＣＰＵ等で構成された信号処理部３２と、発信ボタンを備えるボタン３１と、アンテナ３５からワイヤレス信号の操作信号を発信する信号送信部３４と、発信制御を行うＰＬＬ制御部３６と、ＥＥＰＲＯＭ等で構成されて自身のＩＤコードが書き込まれたＩＤコード書き込み部３３と、発信する信号の周波数を設定するチャンネル設定部３７と、発信音を出力するスピーカや自身の動作を表示する表示ランプ等を備える報知部３９と、これらに電源を供給するボタン電池等の電池３８（例えば、）と、を備えているものである。そして、この発信器３０では、ボタン３１を押し操作すると、その信号を受け取った信号処理部３２がＩＤ書き込み部より自身に割り当てられたＩＤコードを取り出し、信号送信部３４を通じてアンテナ３５より自身のＩＤコードを含む操作信号を受信器１０へ発信するようになっているものである。
【００１４】
セキュリティセンサ４０は、図４に示すように、このセキュリティセンサ４０を制御するために設けられてＣＰＵ等で構成された信号処理部４２と、焦電素子等で構成されて人等の熱源が所定の場所を通過したときに検知信号を信号処理部４２に発信する検知部４１と、アンテナ４５からワイヤレス信号を発信する信号送信部４４と、発信制御を行うＰＬＬ制御部４６と、ＥＥＰＲＯＭ等で構成されて自身のＩＤコードが書き込まれたＩＤコード書き込み部４３と、発信する信号の周波数を設定するチャンネル設定部４７と、これらに電源を供給するボタン電池等の電池４８（例えば、）と、を備えているものである。そして、このセキュリティセンサ４０では、検知部４１にて人の通過を検知すると、その信号を受け取った信号処理部４２がＩＤ書き込み部より自身に割り当てられたＩＤコードを取り出し、信号送信部４４を通じてアンテナ４５より自身のＩＤコードを含む報知信号を受信器１０へ発信するようになっているものである。
【００１５】
ワイヤレス受信器１０は、図５に示すように、受信器１０を制御するために設けられてＣＰＵ等で構成された信号処理部１５と、アンテナ２６によって発信器３０及びセキュリティセンサ４０の各々から発信されてきた操作信号及び報知信号を受信する受信部２０と、受信部２０で受信した信号を復調する復調部２１、波形整形部２２と、発信制御を行うＰＬＬ制御部２３と、報知信号または報知モードに登録された操作信号を受信した時に点灯するようにされた報知ランプ１１と、その信号が発信器３０またはセキュリティセンサ４０のいずれのものかを示す複数の場所報知ランプ１２と、場所報知ランプ１２のいずれかが点灯した時に報知音を鳴動させる報知音出力部１４と、ＥＥＰＲＯＭ等で構成されて受信対象とする発信器３０およびセキュリティセンサ４０のＩＤコードと、各発信器３０のＩＤコードが報知モードまたは停止モードのいずれに設定するのかと、を登録するＩＤコード登録部１６と、受信する信号の周波数を設定するチャンネル設定部２４と、受信対象とする発信器３０及びセキュリティセンサ４０のＩＤコード及び発信器３０を報知モードまたは停止モードのいずれに設定するのかを入力する設定入力部１７と、この受信器１０に登録された発信器３０のＩＤコードの全てを消去するために設けられたＩＤ全消去スイッチと、通常の報知操作と登録モードとを切り替える通常／報知登録／停止登録モード切替スイッチ１８と、この受信器１０を作動させる電源２５と、を備えているものである。
【００１６】
また、図１及び図２中、報知場所表示部１３の各々には、ネームカバーが脱着可能に設けられており、報知場所表示部１３の各々に設けられたネームカバーを取り外して、報知場所が記載されたシールを貼ったりすることができるようになっているものである。そして、発信器３０のボタン３１が押し操作されると対応する場所報知ランプ１２が点滅し、またセキュリティセンサ４０が熱を検知すると、対応する場所報知ランプ１２が点滅するようになっているものである。また、報知ランプ１１は、図１に示すように、受信器１０本体の上部開口部に、上下方向に移動可能に設けられており、報知ランプ１１が点灯している途中において、報知ランプ１１の点灯及び報知音の鳴動を停止したい時には、報知ランプ１１を上方から押圧操作することにより、報知音の鳴動と共に報知ランプ１１が消灯するようにしているものである。
【００１７】
次に、発信器３０を報知モードに登録する手順について説明する。このセキュリティシステム１では、まず、受信器１０の通常／報知登録／停止登録モード切替スイッチ１８を操作して、受信器１０の動作を報知登録モードに切り替える。そして、トイレや浴室に据付けられた発信器３０のボタン３１を押し操作すると、この発信器３０に割り当てられたＩＤコードのワイヤレス信号である操作信号が送信され、受信器１０の信号処理部１５の報知動作を行わせる領域に自動的にこの操作信号が報知モードとして記憶される。ついで、勝手口等に据付けられたセキュリティセンサ４０７の検知部４１を動作させると、このセキュリティセンサ４０に割り当てられたＩＤコードのワイヤレス信号である操作信号が送信され、受信器１０の信号処理部１５の報知動作を行わせる領域に自動的にこの操作信号が報知モードとして記憶される。
【００１８】
次に、発信器３０を停止モードで登録する手順について説明する。このセキュリティシステム１では、まず、受信器１０の通常／報知登録／停止登録モード切替スイッチ１８を操作して、受信器１０の動作を停止登録モードに切り替える。そして、浴室に据付けられた発信器３０のボタン３１を押し操作すると、この発信器３０に割り当てられたＩＤコードのワイヤレス信号である操作信号が送信され、鳴動している報知音を停止させる領域に自動的にこの操作信号が停止モードとして記憶される。このとき、この操作信号と各報知ランプ１１を動作させる領域に記憶されている報知信号および操作信号とが異なる信号であることを受信器１０の信号処理部１５にて確認する処理を行い、この操作信号と既に報知ランプ１１を動作させる領域に記憶されている報知信号または操作信号とが同じＩＤコードであった場合には、既に報知ランプ１１を動作させる領域に記憶されている報知信号または操作信号のデータを削除する処理を行うことにより、同じＩＤコードで報知モードと停止モードの両方に登録されることを防止する処理を行うものとなっているものである。
【００１９】
以上の構成を備えることにより、宅内のセキュリティに異常が発生したときに報知信号を送信するセキュリティセンサ４０と、報知信号を受信したときに第1の報知音を出力する受信器１０と、を備えたセキュリティシステム１において、自身に備えられたボタン３１が操作されると操作信号を発信する発信器３０を備えて、受信器１０が、発信器３０からの操作信号を受信したときの動作として、第２の報知音を鳴動させる報知モードまたは鳴動している第１の報知音の停止させる停止モードのいずれかを選択可能に設定する動作設定手段を備えているので、各家庭のライフスタイルに応じて容易にセキュリティシステム１を構成する発信器３０の役割を変更することができ、使い勝手が向上するものである。
【００２０】
又、この実施形態で用いるセキュリティシステム１は、受信器１０が第１の報知音と共に報知ランプ１１を点灯させる構成を備えて、かつ受信器１０の停止モードの動作として一定時間の間に所定回数以上または所定時間以上の操作信号を受信したときには第１の報知音を停止すると共に報知ランプ１１の消灯を併せて行うようになしているので、例えば宅内に複数人がいる場合には報知音のみを停止させて宅内にいる他の人にも報知できるように報知ランプ１１を点灯させた状態とし、一人だけのときには報知音・報知ランプ１１とも停止させて自分で確認に行く等の宅内の状況に併せた対応を発信器３０のボタン３１が一つだけでも押し時間または押し回数を調整することにより容易に使い分けることができるものである。
【００２１】
なお、本実施形態では、セキュリティセンサ４０からの報知信号を受信したときの受信器１０が鳴動するときの音を第１の報知音とし、発信器３０からの操作信号を受信したときに受信器１０が鳴動する音を第２の報知音としたが、この第１の報知音と第２の報知音は同一の音でも良く、宅内にいる人に報知可能な音であれば良い。
【図面の簡単な説明】
【００２２】
【図１】本願発明の実施形態に係るセキュリティシステムの概略構成図。
【図２】図１のセキュリティシステムに用いられる受信器の要部拡大図。
【図３】図１のセキュリティシステムに用いられる発信器のシステム構成図。
【図４】図１のセキュリティシステムに用いられるセキュリティセンサのシステム構成図。
【図５】図１のセキュリティシステムに用いられる受信器のシステム構成図。
【符号の説明】
【００２３】
１    セキュリティシステム
１０    受信器
１１    報知ランプ
１２    場所報知ランプ
１３    報知場所表示部
１４    報知音出力部
１５    信号処理部
１６    ＩＤコード登録部
１７    設定入力部
１８    通常／報知登録／停止登録モード切替スイッチ
１９    ＩＤ消去スイッチ
２０    受信部
２１    復調部
２２    波形整形部
２３    ＰＬＬ制御部
２４    チャンネル設定部
２５    電源
２６    アンテナ
３０    発信器
３１    ボタン
３２    信号処理部
３３    ＩＤコード書き込み部
３４    信号送信部
３５    アンテナ
３６    ＰＬＬ制御部
３７    チャンネル設定部
３８    電池
３９    報知部
４０    セキュリティセンサ
４１    検知部
４２    信号処理部
４３    ＩＤコード書き込み部
４４    信号送信部
４５    アンテナ
４６    ＰＬＬ制御部
４７    チャンネル設定部
４８    電池
【図１】
0004654824.tif 000002
【図２】
0004654824.tif 000003
【図３】
0004654824.tif 000004
【図４】
0004654824.tif 000005
【図５】
0004654824.tif 000006